(57)【要約】【目的】この発明の目的は、複数のペットボトルの首部におまけ収納体を効率良く取付けることができるようにすることにある。【構成】このため、この発明は、販売促進用のおまけを入れる袋部とペットボトルの首部に取付けられる取付部とからなり、袋部におまけを収納した状態で取付部の挿入孔にペットボトルの首部を挿入することにより取付けられるペットボトルのおまけ収納体構造において、複数のおまけ収納体を幅方向に並列に配設するとともに隣接するおまけ収納体の取付部の対向する幅方向各側縁を切り離し可能に連結して設けたことを特徴とする。【選択図】　　　　図１
2004123207.tif 000002
【特許請求の範囲】
【請求項１】
ペットボトルの販売促進用のおまけを入れる袋部と前記ペットボトルの首部に取付けられる取付部とからなり、前記袋部におまけを収納した状態で前記取付部の挿入孔に前記ペットボトルの首部を挿入することにより取付けられるペットボトルのおまけ収納体構造において、複数の前記おまけ収納体を幅方向に並列に配設するとともに隣接する前記おまけ収納体の取付部の対向する幅方向各側縁を切り離し可能に連結して設けたことを特徴とするペットボトルのおまけ収納体構造。
【請求項２】
前記おまけ収納体は、前記取付部の挿入孔内に前記ペットボトルの首部に当接される当接部を形成して設けたことを特徴とする請求項１に記載のペットボトルのおまけ収納体構造。
【発明の詳細な説明】
【０００１】
【発明の属する技術分野】
この発明はペットボトルのおまけ収納体構造に係り、特に、複数のペットボトルの首部におまけ収納体を効率良く取付けることができるペットボトルのおまけ収納体構造に関する。
【０００２】
【従来の技術】
近時においては、各種の飲料を販売する容器として、ペット（ＰＥＴ：ポリエチレン・テレフタレート）ボトルが多用されている。このペットボトルにより飲料を販売する際には、販売促進用のおまけを付けることがある。
【０００３】
ペットボトルにおまけを付ける際には、おまけ収納体によりおまけを収納してペットボトルの首部に取付けている。おまけ収納体としては、図９・図１０に示すものがある。図１０において、１０２はペットボトル、１０４は本体、１０６は蓋体である。ポットボトル１０２は、本体１０４上部に首部１０８を設け、この首部１０８につば部１１０を介して飲み口部１１２を設けている。飲み口部１１２には、蓋体１０６が螺着される。
【０００４】
ペットボトル１０２のおまけを収納するおまけ収納体１１４は、図９に示す如く、おまけ（図示せず）を入れる袋部１１６とペットボトル１０２の首部１０８に取付けられる取付部１１８とからなる。
【０００５】
袋部１１６は、長手方向一側に内部の収納空間１２０に連通するおまけ挿入用の開口部１２２を設けるとともに、この開口部１２２を閉塞する蓋部１２４を設けている。蓋部１２４には、閉鎖用の粘着剤１２６を被着して設けている。
【０００６】
取付部１１８は、袋部１１６の長手方向他側に長手方向一側を連結して設けるとともに、中央部位にペットボトル１０２の首部１０８を挿入する挿入孔１２８を形成して設けている。
【０００７】
おまけ収納体１１４は、図９に示す如く、袋部１１６の開口部１２２から収納空間１２０におまけを入れて、蓋部１２４を矢印に示す方向に折り返して、２点差線で示す位置に折り畳み、粘着剤１２６により被着して開口部１２２を閉塞することにより、おまけを収納する。
【０００８】
このおまけ収納体１１４は、ペットボトル１０２に取付ける場合に、図１０に示す如く、袋部１１６におまけを収納した状態でペットボトル１０２の首部１０８の上方に位置させ、取付部１１８の挿入孔１２８をペットボトル１０２の首部１０８に合致させて下方に移動させると、おまけ収納体１１４の取付部１１８の挿入孔１２８にペットボトル１０２の首部１０８が挿入されて取付けられる。
【０００９】
【発明が解決しょうとする課題】
ところで、図１０に示すペットボトル１０２に図９に示すおまけ収納体１１４を取付ける場合には、ペットボトル１０２を立設し、このペットボトル１０２の首部１０８に取付部１１８を外嵌させるように、袋部１１６に連結した取付部１１８の挿入孔１２８に首部１０８を挿入している。
【００１０】
ところが、多数のペットボトル１０２の各々におまけ収納体１１４を取付ける場合には、１本のペットボトル１０２に対して１個ずつおまけ収納体１１４を取付ける作業を行わなければならないため、取付作業に多大の手間がかかり、効率が悪いという不都合があった。
【００１１】
【課題を解決するための手段】
このような不都合を解消するために、この発明は、ペットボトルの販売促進用のおまけを入れる袋部と前記ペットボトルの首部に取付けられる取付部とからなり、前記袋部におまけを収納した状態で前記取付部の挿入孔に前記ペットボトルの首部を挿入することにより取付けられるペットボトルのおまけ収納体構造において、複数の前記おまけ収納体を幅方向に並列に配設するとともに隣接する前記おまけ収納体の取付部の対向する各幅方向側縁を切り離し可能に連結して設けたことを特徴とする。
【００１２】
【発明の実施の形態】
この発明のおまけ収納体構造は、複数のおまけ収納体を幅方向に並列に配設するとともに隣接するおまけ収納体の取付部の対向する幅方向各側縁を切り離し可能に連結して設けたことにより、ペットボトルにおまけ収納体を取付ける場合に、並列に立設した複数本のペットボトルの首部の上方に幅方向に並列に配設して連結した複数のおまけ収納体を位置させ、これら複数のおまけ収納体の取付部の各挿入孔を複数のペットボトルの各首部に各々合致させて下方に移動させ、複数のおまけ収納体の取付部の各挿入孔に複数のペットボトルの各首部を各々挿入させることによって、複数のペットボトルのすべてにおまけ収納体を一度に取付けることができ、また、複数のペットボトルに取付けられた隣接するおまけ収納体の取付部の連結された幅方向各側縁を切り離すことにより、ペットボトル２を１本ずつに分離ことができる。
【００１３】
【実施例】
以下図面に基づいて、この発明の実施例を説明する。図１〜図５は、この発明の第１実施例を示すものである。図５において、２はペットボトル、４は本体、６は蓋体である。ポットボトル２は、無蓋有底筒形状の本体４上部に首部８を設け、この首部８につば部１０を介して飲み口部１２を設けている。飲み口部１２には、蓋体６がねじ嵌合により着脱可能に螺着される。
【００１４】
ペットボトル２のおまけを収納するおまけ収納体１４は、図２に示す如く、おまけ（図示せず）を入れる袋部１６とペットボトル２の首部８に取付けられる取付部１８とからなる。
【００１５】
袋部１６は、内部に収納空間２０を設け、長手方向一側に内部の収納空間２０に連通するおまけ挿入用の開口部２２を設けるとともに、この開口部２２を閉塞する蓋部２４を設けている。蓋部２４には、閉鎖用の粘着剤２６を被着して設けている。
【００１６】
取付部１８は、袋部１６の長手方向他側に長手方向一側を連結して設けるとともに、中央部位にペットボトル２の首部８を挿入する挿入孔２８を形成して設けている。
【００１７】
このペットボトル２のおまけ収納体１４は、図２に示す如く、取付部１８の挿入孔２８内にペットボトル２の首部８に当接される当接部３０を形成して設けている。当接部３０は、挿入孔２８内の円周方向等間隔位置に、互いに対向するように複数個（この実施例においては、４個）を中心側に湾曲して突出させて設けている。
【００１８】
また、おまけ収納体１４は、図１に示す如く、複数のおまけ収納体１４を幅方向に並列に配設するとともに、隣接する２つのおまけ収納体１４の取付部１８の、対向する幅方向各側縁３２を切り離し可能に連結して設けている。この実施例においては、互いに対向する幅方向の各側縁３２を、脆弱な素材により形成される連結部３４により切り離し可能に連結して設けている。
【００１９】
幅方向に並列に配設した複数のおまけ収納体１４は、図３に示す如く、隣接するおまけ収納体１４の取付部１８の各挿入孔２８の中心間距離Ｌ１が、並列した複数本のペットボトル２の各首部８の中心間距離Ｌ２と等しくなるように、連結して設けている。
【００２０】
次に作用を説明する。
【００２１】
おまけ収納体１４は、図２に示す如く、袋部１６の開口部２２から収納空間２０に図示しないおまけを入れて、蓋部２４を矢印に示す方向に折り返して、２点差線で示す位置に折り畳み、粘着剤２６により被着して開口部２２を閉塞することにより、おまけを収納する。
【００２２】
このおまけ収納体１４は、図１に示す如く、複数のおまけ収納体１４を幅方向に並列に配設するとともに隣接するおまけ収納体１４の取付部１８の対向する幅方向各側縁３２を連結部３４により切り離し可能に連結して設けている。
【００２３】
このおまけ収納体１４は、ペットボトル２におまけ収納体１４を取付ける場合に、図３に示す如く、先ず、複数本のペットボトル２を並列に立設し、この並列に立設した複数本のペットボトル２の首部８の上方に、幅方向に並列に配設して連結した複数のおまけ収納体１４を位置させる。
【００２４】
次に、これら複数の連結したおまけ収納体１４は、取付部１８の各挿入孔２８を、図３の矢印に示す如く複数のペットボトル２の各首部８に各々合致させて下方に移動させ、図４に示す如く複数のおまけ収納体１４の取付部１８の各挿入孔２８に複数のペットボトル２の各首部８を各々挿入させることによって、複数のペットボトル２のすべてにおまけ収納体１４を一度に取付けることができる。
【００２５】
また、おまけ収納体１４を取付けられて並列に立設された複数のペットボトル２は、図４に矢印で示す方向に引き離し、ペットボトル２に取付けられた隣接するおまけ収納体１４の取付部１８の連結された幅方向各側縁３２を、脆弱な素材により形成される連結部３４を切断して切り離すことによって、１本ずつに分離ことができる。
【００２６】
このように、このおまけ収納体１４構造は、複数のおまけ収納体１４を幅方向に並列に配設するとともに隣接するおまけ収納体１４の取付部１８の対向する幅方向各側縁３２を切り離し可能に連結して設けていることにより、一度の取付動作で複数のペットボトル２のすべてにおまけ収納体１４を夫々取付けることができる。
【００２７】
このため、このおまけ収納体１４構造は、複数のペットボトル２の首部１８におまけ収納体１４を取付ける場合の取付作業の手間を簡略化することができ、複数のペットボトル２の首部８におまけ収納体１４を効率良く取付けることができる。
【００２８】
また、このおまけ収納体１４構造は、複数のペットボトル２の首部１８を複数の連結されたおまけ収納体１４によって集合させておくことができ、商品として売り場に展示した際にバラバラに分離されることがなく、整列配置することができるとともに、購入者が１本のペットボトル２を他のペットボトル２から引き離すことにより、容易に分離ことができる。
【００２９】
さらに、このおまけ収納体１４構造は、取付部１８の挿入孔２８内にペットボトル２の首部８に当接される当接部３０を形成して設けていることにより、図５に示す如く、取付部１８の挿入孔２８に挿入されたペットボトル２の首部８に当接部３０が当接されるため、袋部１６を持ち上げた際につば部１０に当接部３０を当接させることができ、取付部１８を首部８から抜けにくくして脱落を防止することができる。
【００３０】
図６は、第２実施例を示すものである。第２実施例のおまけ収納体１４は、複数のおまけ収納体１４を幅方向に並列に配設するとともに隣接するおまけ収納体１４の取付部１８の対向する幅方向各側縁３２を連結部３４により切り離し可能に連結して設け、この幅方向に並列に配設して連結した複数のおまけ収納体１４を巻物状に捲回して設けたものである。
【００３１】
第２実施例のおまけ収納体１４構造は、幅方向に並列に配設して連結した複数のおまけ収納体１４を巻物状に捲回して設けたことにより、並列に立設した複数本のペットボトル２の各首部８に捲回した複数のおまけ収納体１４を展開しつつ取付部１８の挿入孔２８を挿入させることができる。
【００３２】
このため、第２実施例のおまけ収納体１４構造は、複数のペットボトル２の首部８におまけ収納体１４を、第１実施例よりも効率良く取付けることができる。
【００３３】
図７は、第３実施例を示すものである。第３実施例のおまけ収納体１４は、複数のおまけ収納体１４を幅方向に並列に配設するとともに隣接するおまけ収納体１４の取付部１８の対向する幅方向各側縁３２を連結部３４により切り離し可能に連結して設け、この幅方向に並列に配設して連結した複数のおまけ収納体１４の一対を取付部１８の長手方向他端側が対向するように配設するとともに対向する取付部１８の長手方向他端側の各端縁３６を脆弱な素材により形成される連結部３８により切り離し可能に連結して設けたものである。
【００３４】
第３実施例のおまけ収納体１４構造は、幅方向に並列に配設して連結した複数のおまけ収納体１４の一対を対向配設し、対向する各取付部１８の長手方向他端側の端縁３６を連結部３８によって切り離し可能に連結して設けたことにより、２列に並列した複数のペットボトル２のすべてにおまけ収納体１４を一度に取付けることができるため、複数のペットボトル２の首部８におまけ収納体１４をさらに効率良く取付けることができる。
【００３５】
図８は、第４実施例を示すものである。第４実施例のおまけ収納体１４は、取付部１８の中央部位に、互いに直交して長さの異なる１対の切断線４０・４２により４つの当接部４４を起立可能に形成して設け、この４つの当接部４４の起立により挿入孔４６を現出させて設け、一方の切断線４０の長さＴ１を首部８の径Ｄよりも長く形成するとともに他方の切断線４２の長さＴ２を首部８の径Ｄよりも短く形成して設けたものである。
【００３６】
第４実施例のおまけ収納体１４構造は、ペットボトル２の首部８の径Ｄよりも長い長さＴ１の一方の切断線４０により挿入孔４６への首部８の挿入を容易にしつつ、首部８の径Ｄよりも短い長さＴ２の他方の切断線４２により挿入孔４６に挿入された首部８を押さえることができ、また、切断線４０・４２により形成される４つの当接部４４が首部８に当接されるため、取付部１８を首部８から抜けにくくして脱落を防止することができる。
【００３７】
【発明の効果】
このように、この発明のおまけ収納体構造は、連結された複数のおまけ収納体の取付部の各挿入孔に複数のペットボトルの各首部を各々挿入させることによって、複数のペットボトルのすべてにおまけ収納体を一度に取付けることができ、また、複数のペットボトルに取付けられた隣接するおまけ収納体の取付部の連結された幅方向各側縁を切り離すことによって、ペットボトル２を１本ずつに分離ことができる。
【００３８】
このため、このおまけ収納体構造は、複数のペットボトルの首部におまけ収納体を取付ける場合の取付作業の手間を簡略化することができ、複数のペットボトルの首部におまけ収納体を効率良く取付けることができる。
【図面の簡単な説明】
【図１】この発明の第１実施例を示すおまけ収納体を連結した状態の中間省略平面図である。
【図２】蓋部を展開したおまけ収納体の平面図である。
【図３】連結されたおまけ収納体を複数のペットボトルに取付ける前の斜視図である。
【図４】連結されたおまけ収納体を複数のペットボトルに取付けた状態の斜視図である。
【図５】おまけ収納体を取付けたペットボトルの一部省略側面図である。
【図６】第２実施例を示す連結したおまけ収納体を巻物状に捲回した状態の斜視図である。
【図７】第３実施例を示す連結したおまけ収納体の一対を対称に配設して切り離し可能に連結した状態の中間省略平面図である。
【図８】第４実施例を示す蓋部を折り畳んだおまけ収納体の平面図である。
【図９】従来例を示す蓋部を展開したおまけ収納体の平面図である。
【図１０】従来例を示すおまけ収納体を取付けたペットボトルの一部省略側面図である。
【符号の説明】
２　ペットボトル
４　本体
６　蓋体
８　首部
１０　つば部
１２　飲み口部
１４　おまけ収納体
１６　袋部
１８　取付部
２０　収納空間
２２　開口部
２４　蓋部
２６　粘着剤
２８　挿入孔
３０　当接部
３２　幅方向各側縁
【図１】
2004123207.tif 000003
【図２】
2004123207.tif 000004
【図３】
2004123207.tif 000005
【図４】
2004123207.tif 000006
【図５】
2004123207.tif 000007
【図６】
2004123207.tif 000008
【図７】
2004123207.tif 000009
【図８】
2004123207.tif 000010
【図９】
2004123207.tif 000011
【図１０】
2004123207.tif 000012